(57)【要約】【課題】端子付き電線に対する装着性の悪化を抑えつつも、端子への異物の付着を抑制できる端子用保護部材を提供する。【解決手段】端子用保護部材１０は、筒状の周壁部１３と該周壁部１３の一端を閉塞する底部１４とを有し端子付き電線Ｃの接続端子Ｃｂが周壁部１３の内側に収容される容器部１１と、周壁部１３の入口側端部１５から延出され、端子付き電線Ｃを支持する電線支持部１２とを備える。そして、電線支持部１２は、入口側端部１５から周壁部１３の軸中心側（中心軸線Ｌ側）に向かって延びる屈曲保持状態と、周壁部１３に沿って延びる展開状態とに変形可能に構成された延出部２１を有している。【選択図】図２
2018101509.tif 000002
【特許請求の範囲】
【請求項１】
筒状の周壁部と該周壁部の一端を閉塞する底部とを有し、端子付き電線の端子が前記周壁部の内側に収容される容器部と、
前記周壁部の入口側端部から延出され、端子付き電線を支持する電線支持部と
を備え、
前記電線支持部は、前記入口側端部から前記周壁部の軸中心側に向かって延びる屈曲保持状態と、前記周壁部に沿って延びる展開状態とに変形可能に構成された延出部を有していることを特徴とする端子用保護部材。
【請求項２】
筒状の周壁部と該周壁部の一端を閉塞する底部とを有し、端子付き電線の端部が前記周壁部の内側に収容される容器部と、
前記周壁部の入口側端部に取り付けられる取付部と、該取付部から前記周壁部の軸中心側に向かって延びる延出部と、該延出部の先端部に設けられ前記端子付き電線が固定される電線固定部とを有し、前記容器部とは別体をなす支持部材と
を備えたことを特徴とする端子用保護部材。
【発明の詳細な説明】
【技術分野】
【０００１】
本発明は、端子付き電線の端子を保護する端子用保護部材に関するものである。
【背景技術】
【０００２】
従来、例えば特許文献１には、端子付き電線の端子を保護する端子用保護部材が開示されている。この特許文献１の端子用保護部材は、電線先端に設けられた端子が内部に収容される容器部を備えており、その容器部の入口部の近傍位置には、容器部の径よりも小径をなす絞り部が設けられている。このような端子用保護部材を端子付き電線に装着する際には、電線先端の端子を、絞り部を通じて容器部内に挿入する。すると、電線が絞り部で支持されるとともに、電線先端の端子が容器部内に収容される。この状態では、電線が絞り部によって容器部の軸中心位置で支持されるため、電線先端の端子が容器部内の軸中心位置で保持され、該端子を容器部の内面から離間された状態で保持することが可能となっている。これにより、容器部の内面に存在する塵埃等の異物が端子に付着して、端子の接点不良等が生じることが抑制されるようになっている。
【先行技術文献】
【特許文献】
【０００３】
【特許文献１】特開２００７−３１１２４７号公報
【発明の概要】
【発明が解決しようとする課題】
【０００４】
しかしながら、上記特許文献１の端子用保護部材では、端子付き電線を、絞り部を通じて容器部内に挿入しなければならないため、端子付き電線を容器部に収容しづらく、装着性の悪いものであった。
【０００５】
本発明は、上記課題を解決するためになされたものであって、その目的は、端子付き電線に対する装着性の悪化を抑えつつも、端子への異物の付着を抑制できる端子用保護部材を提供することにある。
【課題を解決するための手段】
【０００６】
上記課題を解決する端子用保護部材は、筒状の周壁部と該周壁部の一端を閉塞する底部とを有し、端子付き電線の端子が前記周壁部の内側に収容される容器部と、前記周壁部の入口側端部から延出され、端子付き電線を支持する電線支持部とを備え、前記電線支持部は、前記入口側端部から前記周壁部の軸中心側に向かって延びる屈曲保持状態と、前記周壁部に沿って延びる展開状態とに変形可能に構成された延出部を有している。
【０００７】
この構成によれば、延出部が展開状態とされた電線支持部に端子付き電線を装着した後、延出部を周壁部の軸中心側に向かって延びる屈曲保持状態に変形させることで、端子が周壁部の内面から離間する状態で端子付き電線を支持することが可能となる。そして、延出部は、展開状態では、周壁部の入口の開口面積を小さくするものではなく、端子付き電線の端子を周壁部内に挿入する際の妨げにならない。従って、端子付き電線に対する装着性の悪化を抑えつつも、端子を周壁部の内面から離間させた状態で保持できることから、端子への異物の付着を抑制できる。
【０００８】
上記課題を解決する端子用保護部材は、筒状の周壁部と該周壁部の一端を閉塞する底部とを有し、端子付き電線の端部が前記周壁部の内側に収容される容器部と、前記周壁部の入口側端部に取り付けられる取付部と、該取付部から前記周壁部の軸中心側に向かって延びる延出部と、該延出部の先端部に設けられ前記端子付き電線が固定される電線固定部とを有し、前記容器部とは別体をなす支持部材とを備える。
【０００９】
この構成によれば、支持部材の延出部の形状から、端子が周壁部の内面から離間する状態で端子付き電線を支持することが可能となる。また、支持部材の電線固定部に端子付き電線を固定した後、端子付き電線の端子を周壁部の内側に収容しつつ、支持部材の取付部を周壁部の入口側端部に取り付けることが可能となる。これにより、端子付き電線の端子を周壁部の入口側端部に挿入する際に、支持部材が邪魔にならず、端子を容器部に容易に収容することができる。従って、端子付き電線に対する装着性の悪化を抑えつつも、端子を周壁部の内面から離間させた状態で保持できることから、端子への異物の付着を抑制できる。
【発明の効果】
【００１０】
本発明の端子用保護部材によれば、端子付き電線に対する装着性の悪化を抑えつつも、端子への異物の付着を抑制できる。
【図面の簡単な説明】
【００１１】
【図１】第１実施形態の端子用保護部材の模式図。
【図２】（ａ）（ｂ）（ｃ）同形態の端子用保護部材の端子付き電線に対する装着方法を説明するための模式図。
【図３】同形態の端子用保護部の保管態様の一例を示す模式図。
【図４】第２実施形態の端子用保護部材の模式図。
【図５】同形態の端子用保護部材の装着方法を説明するための模式図。
【発明を実施するための形態】
【００１２】
（第１実施形態）
以下、端子用保護部材の第１実施形態について、図１〜図３に従って説明する。なお、図面では、説明の便宜上、構成の一部を誇張又は簡略化して示す場合がある。また、各部分の寸法比率についても、実際と異なる場合がある。
【００１３】
図１に示す本実施形態の端子用保護部材１０は、被覆電線Ｃａの先端部に接続端子Ｃｂが設けられた端子付き電線Ｃ（図２参照）の接続端子Ｃｂを保護するためのものである。端子用保護部材１０は、合成樹脂材料から形成されるものであり、容器部１１と、容器部１１に一体形成された電線支持部１２とを備えている。
【００１４】
容器部１１は、円筒状の周壁部１３と、周壁部１３の一端を閉塞する底部１４とを有している。周壁部１３は、該周壁部１３の入口側端部１５（底部１４とは反対側の端部）に向かって拡径するテーパ形状をなしている。
【００１５】
電線支持部１２は、入口側端部１５から容器部１１（周壁部１３）の中心軸線Ｌに向かって延びる延出部２１と、延出部２１の先端部から中心軸線Ｌに沿って容器部１１とは反対側に延びる電線固定部２２とを有している。本実施形態では、延出部２１は、底部１４と平行であって、中心軸線Ｌに対して垂直をなしている。電線固定部２２には、バンド部材等の固定部材Ｘ（図２参照）の巻回によって、被覆電線Ｃａが電線固定部２２と平行に固定されるようになっている。また、電線固定部２２の先端部には、固定部材Ｘの抜け止めのための、幅方向両側に突出する抜け止め部２２ａが形成されている。
【００１６】
電線支持部１２の延出部２１及び電線固定部２２は、上記の形状に保持された屈曲保持状態（図１中の実線を参照）と、周壁部１３の延長線上（又は、該延長線よりも外径側）で延びる展開状態（図１中の二点鎖線を参照）とに変形可能に構成されている。また、電線支持部１２は、延出部２１及び電線固定部２２を屈曲保持状態の形状に保持するための不図示の形状保持機構を備えている。
【００１７】
次に、端子付き電線Ｃに対する端子用保護部材１０の装着方法について、その作用とともに説明する。
まず、図２（ａ）に示すように、電線支持部１２の延出部３３及び電線固定部２２を展開状態とし、その状態で、端子付き電線Ｃの被覆電線Ｃａを電線固定部２２に対し固定部材Ｘによって固定する。このとき、被覆電線Ｃａは、電線固定部２２と平行に固定される。また、このとき、同図に示すように、接続端子Ｃｂを延出部２１の内面及び周壁部１３の内面から離間させるべく、電線固定部２２を径方向外側に倒した状態としてもよい。
【００１８】
次に、図２（ｂ）に示すように、延出部２１及び電線固定部２２を屈曲させていき、図２（ｃ）に示すように、延出部２１及び電線固定部２２をクランク状の屈曲保持状態に変形させる。そして、この過程で、端子付き電線Ｃの接続端子Ｃｂを、周壁部１３の内側に収容させる。これにより、接続端子Ｃｂが周壁部１３の内側において、周壁部１３の内面から離間する状態で保持される。
【００１９】
なお、図３には、複数の端子用保護部材１０を保管する際の保管態様の一例を示している。同図に示すように、各端子用保護部材１０の電線支持部１２を展開状態とすることで、各端子用保護部材１０を重ねて保管することができ、保管時の省スペース化が可能となっている。
【００２０】
次に、本実施形態の効果を記載する。
（１）電線支持部１２は、入口側端部１５から周壁部１３の軸中心側（中心軸線Ｌ側）に向かって延びる屈曲保持状態と、周壁部１３に沿って延びる展開状態とに変形可能に構成された延出部２１を有している。この構成によれば、延出部２１が展開状態とされた電線支持部１２に端子付き電線Ｃを装着した後、延出部２１を中心軸線Ｌ側に向かって延びる屈曲保持状態に変形させることで、接続端子Ｃｂが周壁部１３の内面から離間する状態で端子付き電線Ｃを支持することが可能となる。そして、延出部２１は、展開状態では、周壁部１３の入口の開口面積を小さくするものではなく、接続端子Ｃｂを周壁部１３内に挿入する際の妨げにならない。従って、端子付き電線Ｃに対する装着性の悪化を抑えつつも、接続端子Ｃｂを周壁部１３の内面から離間させた状態で保持できることから、接続端子Ｃｂへの異物の付着を抑制できる。
【００２１】
（第２実施形態）
以下、端子用保護部材の第２実施形態について、図４及び図５に従って説明する。なお、図面では、説明の便宜上、構成の一部を誇張又は簡略化して示す場合がある。また、各部分の寸法比率についても、実際と異なる場合がある。また、本実施形態において、上記第１実施形態と同様の構成については、同一の符号を付して、その詳細な説明を省略する。
【００２２】
図４に示すように、本実施形態の端子用保護部材３０は、容器部１１と、容器部１１とは別体をなす支持部材３１とを備えている。支持部材３１は、周壁部１３の入口側端部１５に取り付けられる取付部３２と、該取付部３２から周壁部１３の中心軸線Ｌ側（軸中心側）に向かって延びる延出部３３と、該延出部３３の先端部に設けられ端子付き電線Ｃが固定される電線固定部３４とを有している。取付部３２は、周壁部１３を径方向に挟持する挟持部３２ａを有している。延出部３３は、中心軸線Ｌに対して垂直に延びている。また、電線固定部３４は、上記第１実施形態の電線固定部２２と同様の構成を有している。すなわち、電線固定部３４は、延出部３３の先端部から中心軸線Ｌに沿って容器部１１とは反対側に延びている。
【００２３】
次に、端子付き電線Ｃに対する端子用保護部材３０の装着方法について説明する。
まず、図５に示すように、容器部１１に取り付けられていない状態の支持部材３１の電線固定部３４に対して、端子付き電線Ｃの被覆電線Ｃａを固定部材Ｘによって固定する。
【００２４】
次に、図４に示すように、端子付き電線Ｃが固定された支持部材３１の取付部３２を、周壁部１３の入口側端部１５に取り付ける。このとき、端子付き電線Ｃの接続端子Ｃｂを、入口側端部１５から周壁部１３内に収容する。これにより、接続端子Ｃｂが周壁部１３の内側において、該周壁部１３の内面から離間する状態で保持される。
【００２５】
次に、本実施形態の効果を記載する。
（２）支持部材３１が容器部１１に取り付けられた状態において、支持部材３１の延出部３３は、周壁部１３の軸中心側に延出された形状をなす。これにより、接続端子Ｃｂが周壁部１３の内面から離間する状態で、端子付き電線Ｃを支持することが可能となる。また、本実施形態では、支持部材３１の電線固定部３４に端子付き電線Ｃ（被覆電線Ｃａ）を固定した後、接続端子Ｃｂを周壁部１３の内側に収容しつつ、支持部材３１（取付部３２）を周壁部１３の入口側端部１５に取り付けることが可能となる。これにより、接続端子Ｃｂを周壁部１３の入口側端部１５に挿入する際に、支持部材３１が邪魔にならず、接続端子Ｃｂを容器部１１に容易に収容することができる。従って、端子付き電線Ｃに対する装着性の悪化を抑えつつも、接続端子Ｃｂを周壁部１３の内面から離間させた状態で保持できることから、接続端子Ｃｂへの異物の付着を抑制できる。
【００２６】
なお、上記各実施形態は、以下のように変更してもよい。
・上記第１実施形態では、延出部２１は、屈曲保持状態において、中心軸線Ｌに対して垂直をなすが、これに限らず、周壁部１３の軸中心側に向かって延出する構成であれば、中心軸線Ｌに対して垂直でない構成（中心軸線Ｌに対して傾斜する構成）であってもよい。
【００２７】
・上記第１実施形態では、電線支持部１２（延出部２１及び電線固定部２２）を展開状態から屈曲保持状態に変形させる過程で、接続端子Ｃｂを周壁部１３の内側に収容しているが、これに限らず、端子付き電線Ｃ（被覆電線Ｃａ）を展開状態の電線固定部２２に固定する際に、接続端子Ｃｂを周壁部１３の内側に収容してもよい。
【００２８】
・上記第２実施形態において、支持部材３１の形状等の構成は適宜変更してもよい。例えば、支持部材３１の延出部３３は、周壁部１３の軸中心側に向かって延出する構成であれば、中心軸線Ｌに対して垂直でない構成（中心軸線Ｌに対して傾斜する構成）であってもよい。また、取付部３２は、周壁部１３の入口側端部１５を挟持する構成に限らず、それ以外の固定態様であってもよい。
【００２９】
・上記各実施形態において、電線固定部２２，３４に対する被覆電線Ｃａの固定態様は、固定部材Ｘの巻回に限定されるものではなく、構成に応じて適宜変更可能である。
・上記した各実施形態並びに各変形例は適宜組み合わせてもよい。
【符号の説明】
【００３０】
Ｃ…端子付き電線
Ｃｂ…接続端子
１０…端子用保護部材
１１…容器部
１２…電線支持部
１３…周壁部
２１…延出部
２２…電線固定部
３０…端子用保護部材
３１…支持部材
３２…取付部
３３…延出部
３４…電線固定部
【図１】
2018101509.tif 000003
【図２】
2018101509.tif 000004
【図３】
2018101509.tif 000005
【図４】
2018101509.tif 000006
【図５】
2018101509.tif 000007